(57)【要約】【課題】餌の食べ残しなどの無駄や餌の散乱を抑制する。【解決手段】小動物用の線状餌を収納し、被取付部材に後面側を取付けた状態で前面側から前記線状餌が引き抜かれつつ食べられる給餌器１であって、前面側に位置する前側壁３ａと上記後面側に位置する後側壁３ｂとを少なくとも有し、上記前側壁３ａに切欠き部５が設けられた餌収納用容器３と、上記切欠き部５を通じて揺動可能に上記後側壁３ｂにヒンジ（揺動支持部材）７を介して連結され、餌食べ用の開口部１５を有するとともに上記容器３内に収納された線状餌を上記後側壁３ｂとの間で挟持する餌押さえ部材９と、上記餌押さえ部材９に、上記後側壁３ｂに押圧させる押圧力を付与するコイルばね（押圧力付与手段）１１とを具備する。【選択図】図１
0003168100.tif 000002
【実用新案登録請求の範囲】
【請求項１】
小動物用の線状餌を収納し、被取付部材に後面側を取付けた状態で前面側から前記線状餌が引き抜かれつつ食べられる給餌器であって、
前面側に位置する前側壁と上記後面側に位置する後側壁とを少なくとも有し、上記前側壁に切欠き部が設けられた餌収納用容器と、
上記切欠き部を通じて揺動可能に、上記後側壁に揺動支持部材を介して連結され、餌食べ用の開口部を有するとともに上記容器内に収納された餌を上記後側壁との間で挟持する餌押さえ部材と、
上記餌押さえ部材に、上記後側壁側に押圧させる押圧力を付与する押圧力付与手段と、を具備することを特徴とする給餌器。
【請求項２】
前記前側壁の切欠き部は、前記容器の下端部を残して形成されていることを特徴とする請求項１に記載の給餌器。
【請求項３】
前記餌押さえ部材の上端部が前記揺動支持部材に連結されていることを特徴とする請求項１または２に記載の給餌器。
【請求項４】
前記押圧力付与手段が、上記餌押さえ部材に、上記後側壁に押圧させる弾性押圧力を付与する弾性部材であることを特徴とする請求項１乃至３のいずれかに記載の給餌器。
【請求項５】
前記弾性部材がコイルばねであって、前記コイルばねの一端が上記容器に取付けられるとともに他端が上記餌押さえ部材に取付けられており、前記餌押さえ部材の下端部を前記後側壁から離隔させていくと、前記コイルばねの両端を結ぶ線分が前記揺動支持部材における揺動軸の延長線を挟んで前面側から後面側へ移動していくように構成されていることを特徴とする請求項４に記載の給餌器。
【請求項６】
前記餌押さえ部材は、前記餌食べ用の開口部を複数有し、これら開口部が分散配置されていることを特徴とする請求項１乃至５のいずれかに記載の給餌器。
【請求項７】
前記餌押さえ部材は、網部材により構成されていることを特徴とする請求項６に記載の給餌器。
【請求項８】
前記被取付部材に取付けるために前記容器の後側壁に設けられた取付手段が、前記被取付部材に取付け固定される固定部と、上記後側壁の後側に設けられ、前記固定部に着脱可能に取付けられる被着部とを備えることを特徴とする請求項１乃至７のいずれかに記載の給餌器。
【考案の詳細な説明】
【技術分野】
【０００１】
本考案は、うさぎ等の小動物用に牧草などの線状餌を与えるための給餌器に関する。
【背景技術】
【０００２】
上述した給餌器として、上方が開口した縦長の容器の少なくとも前面が格子状に形成されたものが知られている（例えば、特許文献１等参照）。この給餌器にあっては、容器上方の開口部から線状餌を入れ、その開口部や前面の格子部分から線状餌を食べるように用いられる。なお、線状餌としては、一般に牧草や藁などが用いられる。
【先行技術文献】
【特許文献】
【０００３】
【特許文献１】実用新案登録第３１５９０１０号
【考案の概要】
【考案が解決しようとする課題】
【０００４】
ところで、上記給餌器にあっては、牧草や藁などの線状餌を収容するため、一般的に縦長に形成されており、このため線状餌が少なくなって底部に少し残った状態になった場合、上方の開口部から口を挿入しても口が線状餌に到達し難くなる虞がある。一方、前面の格子部分から線状餌を食べようとしても、格子部分から遠い奥側の線状餌は食べることができなくなるという虞があった。このため、線状餌の食べ残しが発生し易いという難点があり、この点につき改良の余地があった。
【０００５】
また、線状餌を用いる場合には、複数本が相互に絡みつくことがあり、１本が抜き取られることにより、それに絡みついた他の線状餌も給餌器から一緒に引き抜かれることが発生し、その結果、ケージ内の床に線状餌が散乱し、餌の無駄が多くなる他、清掃作業に手間取るという問題があった。
【０００６】
本考案は、このような従来技術の課題を解決すべくなされたもので、餌の食べ残しなどの無駄や餌の散乱を抑制することができる給餌器を提供することを目的とする。
【課題を解決するための手段】
【０００７】
本考案の給餌器は、小動物用の線状餌を収納し、被取付部材に後面側を取付けた状態で前面側から前記線状餌が引き抜かれつつ食べられる給餌器であって、前面側に位置する前側壁と上記後面側に位置する後側壁とを少なくとも有し、上記前側壁に切欠き部が設けられた餌収納用容器と、上記切欠き部を通じて揺動可能に、上記後側壁に揺動支持部材を介して連結され、餌食べ用の開口部を有するとともに上記容器内に収納された餌を上記後側壁との間で挟持する餌押さえ部材と、上記餌押さえ部材に、上記後側壁側に押圧させる押圧力を付与する押圧力付与手段と、を具備することを特徴とする。なお、線状餌とは、牧草や藁などの細長い線状の餌を言う。この給餌器による場合には、餌押さえ部材と押圧力付与手段とを有するので、餌押さえ部材と後側壁との間で線状餌を挟持することができる。挟持された線状餌は、餌押さえ部材に設けられた餌食べ用の開口部から食べることができる。このような構成の給餌器において、餌押さえ部材により線状餌が挟持された状態で開口部から線状餌を食べるとき、押圧力付与手段による押圧力を受けて餌押さえ部材が線状餌を押さえているので、相互に絡み合った複数の線状餌の一つが引き抜かれても他の線状餌が餌押さえ部材により押さえられ、開口部から外側へ抜け落ちることが抑制される。加えて、線状餌の量が減少してくると、餌押さえ部材が後側壁へ接近するので、最終的に後側壁の近傍に位置する線状餌をも支障なく食べ得るようにすることができ、餌の食べ残しを防止し無駄を抑制することができる。
【０００８】
この構成の給餌器において、前記前側壁の切欠き部は、前記容器の下端部を残して形成されているようにしてもよい。この構成による場合には、切欠き部の下側に容器の下端部が存在するため、容器から線状餌が落下し難く、そのため線状餌の容器へのセットを容易に行うことが可能になる。
【０００９】
この構成の給餌器において、前記餌押さえ部材の上端部が揺動支持部材に連結されているようにしてもよい。この構成による場合には、線状餌の量の減少に伴って餌押さえ部材の下端部が後側壁に近づくため、線状餌が落下して底部に溜まっても、餌押さえ部材の下端部およびその近傍部分が線状餌を後側壁に寄せることになる。そのため、餌押さえ部材から線状餌までの距離を接近させることができ、これにより線状餌を最後まで残すことがなく食べることが可能になり、餌の食べ残しなどの無駄を極めて低減させ得る。
【００１０】
この構成の給餌器において、前記押圧力付与手段が、上記餌押さえ部材に、上記後側壁に押圧させる弾性押圧力を付与する弾性部材であるようにしてもよい。この構成による場合には、餌押さえ部材の下端部が後側壁に近付いても押圧力を安定して付与することが可能になる。
【００１１】
この構成の給餌器において、前記弾性手段がコイルばねであって、前記コイルばねの一端が上記容器に取付けられるとともに他端が上記餌押さえ部材に取付けられており、前記餌押さえ部材の下端部を前記後側壁から離隔させていくと、前記コイルばねの両端を結ぶ線分が前記揺動支持部材における揺動軸の延長線を挟んで前面側から後面側へ移動していくように構成してもよい。この構成による場合には、餌押さえ部材の下端部を後側壁から離隔させていくと、コイルばねの両端を結ぶ線分が揺動軸の延長線を挟んで前面側から後面側へ移動していく。そして、後面側へ移動した状態において、餌押さえ部材の上端部近傍が容器に当接することで、一定の姿勢に餌押さえ部材が保持される。よって、餌押さえ部材から手を離した状態での線状餌のセットが可能になり、線状餌のセットを容易に行うことができる。
【００１２】
この構成の給餌器において、前記餌押さえ部材は、前記餌食べ用の開口部を複数有し、これら開口部が分散配置されているようにしてもよい。この構成による場合には、セットされた線状餌を複数の開口部から食べることができるので、線状餌を分散させて減少させることが可能になる。特に、前記餌押さえ部材は、網部材により構成されているようにすると、開口部となる網目が大きいので、線状餌を容易に食べるようにすることが可能になる。
【００１３】
この構成の給餌器において、前記被取付部材に取付けるために前記容器の後側壁に設けられた取付手段が、前記被取付部材に取付け固定される固定部と、上記後側壁の後側に設けられ、前記固定部に着脱可能に取付けられる被着部とを備えるようにしてもよい。この構成による場合には、固定部を予め被取付部材に取付け固定しておくことで、その固定部に対し、容器の後側壁の後側に設けられた被着部を着脱できる。よって、線状餌を入れるときは、被着部を固定部から外して容器に線状餌を入れ、線状餌を入れた後は、被着部を固定部に取付けることで容器を被取付部材に取付けることができる。
【考案の効果】
【００１４】
本考案の給餌器による場合には、餌押さえ部材と押圧力付与手段とを有するので、餌押さえ部材と後側壁との間で線状餌を挟持することができる。挟持された線状餌は、餌押さえ部材に設けられた餌食べ用の開口部から食べることができる。このような構成の給餌器において、餌押さえ部材により線状餌が挟持された状態で開口部から線状餌を食べるとき、押圧力付与手段による押圧力を受けて餌押さえ部材が線状餌を押さえているので、相互に絡み合った複数の線状餌の一つが引き抜かれても他の線状餌が餌押さえ部材により押さえられ、開口部から外側へ抜け落ちることが抑制される。加えて、線状餌の量が減少してくると、餌押さえ部材が後側壁へ接近するので、最終的に後側壁の近傍に位置する線状餌をも支障なく食べ得るようにすることができ、餌の食べ残しを防止し無駄を抑制することができる。
【図面の簡単な説明】
【００１５】
【図１】本考案の一実施形態に係る給餌器を示す外観斜視図である。
【図２】図１の給餌器を示す分解斜視図である。
【図３】図１の給餌器を示す正面図である。
【図４】図１の給餌器を示す右側面図である。
【図５】コイルばねとヒンジとの位置関係の説明図（側面図）である。
【図６】餌押さえ部材における餌食べ用の開口部の他の例を示す図である。
【図７】餌押さえ部材における餌食べ用の開口部の更に他の例を示す図である。
【図８】餌押さえ部材における餌食べ用の開口部の更に他の例を示す図である。
【図９】餌押さえ部材における餌食べ用の開口部の更に他の例を示す図である。
【図１０】餌押さえ部材における餌食べ用の開口部の更に他の例を示す図である。
【図１１】餌押さえ部材における餌食べ用の開口部の更に他の例を示す図である。
【図１２】餌押さえ部材における餌食べ用の開口部の更に他の例を示す図である。
【考案を実施するための形態】
【００１６】
以下に、本考案を実施形態に基づいて具体的に説明する。
【００１７】
本考案の給餌器１は、例えばうさぎなどの小動物用の線状餌を収納し、線状餌が引き抜かれつつ食べられるように、図１〜図４に示すように構成されている。具体的には、給餌器１は、切欠き部５が設けられた餌収納用容器３と、上記切欠き部５を通じて揺動可能に容器３の後側壁３ｂに揺動支持部材としてのヒンジ７を介して上端部９ａが連結された餌押さえ部材９と、上記餌押さえ部材９に、後側壁３ｂに押圧させる押圧力を付与する押圧力付与手段としての引張りコイルばね１１とを具備する。なお、図１および図４においては、餌押さえ部材９の下端部９ｂが後側壁３ｂから離れた状態に表しているが、引張りコイルばね１１の押圧付勢力により下端部９ｂが後側壁３ｂに当接する状態とされる。
【００１８】
容器３は、前側壁３ａと後側壁３ｂとに繋がる左側壁３ｃ、右側壁３ｄと、これら４つの側壁３ａ〜３ｄの下端に繋がる底部３ｅとを有する。前側壁３ａは、後側壁３ｂに対して高さを低くして形成され、左側壁３ｃと右側壁３ｄとは、各上端が後側壁３ｂの上端から前側壁３ａの上端とに繋がるように前側が低くなるように湾曲して形成されている。この図示例では、前側壁３ａの上側部分、左側壁３ｃおよび右側壁３ｄにおける前部上側部分で前記切欠き部５が形成されている。なお、切欠き部５は、餌押さえ部材９の揺動が可能であれば、前側壁３ａにおける容器３の下端部を残すように形成してもよい。つまり、左側壁３ｃおよび右側壁３ｄには切欠き部５の形成を省略してもよい。
【００１９】
後側壁３ｂには、被取付部材、例えば図示しないケージに容器３を取付けるための取付手段２０が設けられている。取付手段２０としては、ケージに取付け固定される固定部２１と、後側壁３ｂの後側に設けられた被着部２５とを備える。被着部２５は上下２箇所に設けられ、各被着部２５は後側壁３ｂの後側に突出した突出部２５ａと、その先端から下方に向けて延出した延出部２５ｂとを有するＬ字状に形成されている。
【００２０】
一方、固定部２１は、雄ねじ部材２２と雌ねじ部材２３と板部材２４とを有する。
雄ねじ部材２２は、後側（図２の右側）の外周にねじが形成された雄ねじ部２２ａと、前側に形成した挟持部２２ｂとを有する。雌ねじ部材２３は、前側に形成された挟持部２３ａと、その前側端面の中央部に形成され、前記雄ねじ部２２ａが螺着される雌ねじ部（図示せず）とを有する。板部材２４は、概略矩形板状のものであり、上部中央に形成され、前記雄ねじ部２２ａが挿通される貫通孔２４ａと、前側の上下２箇所に設けられた取付部２４ｂとを備え、取付部２４ｂには前記延出部２５ｂが上方から挿入される挿入孔部２４ｃ（図２参照）が形成されている。上記挟持部２２ｂ、２３ａは、共に、上記貫通孔２４ａを挿通しない大きさに形成されている。
【００２１】
このように構成された固定部２１において、雄ねじ部材２２の雄ねじ部２２ａを、板部材２４の貫通孔２４ａに挿通し、かつ雌ねじ部材２３の雌ねじ部（図に表れていない）に螺着すると、挟持部２２ｂと挟持部２３ａとの間で板部材２４が挟持される。このとき、板部材２４をケージの内側に配し、板部材２４と挟持部２３ａとの間でケージの格子部を挟むことで、固定部２１がケージに取付け固定される。なお、ケージの格子部内側には雄ねじ部２２ａが挿通される。そして、板部材２４の挿入孔部２４ｃに延出部２５ｂを挿入することで、容器３は、ケージに着脱可能に取付けられる。よって、被着部２５を固定部２１から外して容器３に線状餌を入れ、線状餌を入れた後は、被着部２５を固定部２１に取付けることで容器３をケージに取付けることができる。
【００２２】
また、後側壁３ｂの上端には一対のヒンジ７が取付けられる。各ヒンジ７は、後側壁３ｂの上端に差し込まれる凹状の被取付部７ｃと、後側壁３ｂに被取付部７ｃを取付けた状態で後側壁３ｂの前側に配される揺動支持部７ａとを有する。揺動支持部７ａは円弧状に形成されている。
【００２３】
上記揺動支持部７ａには餌押さえ部材９の上端部９ａが揺動可能に取付けられる。餌押さえ部材９は、本実施形態ではメッキした棒部材を用いて形成され、概略矩形状の枠体１０ａと、その枠体１０ａの左右両側部に掛け渡した横桟１０ｂと、中央部の一定距離離れた２箇所から同じ方向に折り曲げた縦桟１０ｃとを有し、縦桟１０ｃの中央部は、上側に配されている。また、餌押さえ部材９は、重なる箇所を溶接して形成されており、格子状をした餌食べ用の開口部１５を複数有する網部材のような構成となっている（図３参照）。上記枠体１０ａは、上端部９ａから少し下側の部分で折り曲げられていて、上端部９ａが折り曲げ部９ｄよりも後側に位置するようになっている。
【００２４】
開口部１５については、図３に示す例では、左右に小さい開口部１６ａが縦３つずつ設けられ、中央に大きい開口部１６ｂが一列で３つ設けられている。例えば、小さい開口部１６ａについては、縦寸法Ｌ１が４０ｍｍ、横寸法Ｌ２が３０ｍｍとなっており、大きい開口部１６ｂについては、縦寸法Ｌ３が４０ｍｍ、横寸法Ｌ４が５０ｍｍとなっている。なお、Ｌ１〜Ｌ４の値は一例であり、線状餌の種類に応じて増減させてもよい。なお、線状餌としては、乾牧草や、生牧草、或いは稲藁、或いは生野菜などが用いられる。
【００２５】
餌押さえ部材９の揺動範囲は、図５に示すように、下端部９ｂが後側壁３ｂの内面に当接する第１姿勢Ａと、上端部９ａの近傍部分がヒンジ７または後側壁３ｂに当接する第２姿勢Ｂとにわたる範囲である。上端部９ａの近傍部分をヒンジ７に当接させるか、または後側壁３ｂに当接させるかは、上端部９ａの近傍部分、ヒンジ７および後側壁３ｂのそれぞれの形状に基づいて定まる。本実施形態では、上端部９ａの一つ下側の横桟１０ｄ（図１参照）がヒンジ７に当接することで第２姿勢Ｂとなるように構成されている。
【００２６】
なお、ヒンジ７については、図１〜図４に示す例では左右に一対設けているが、３以上を配設してもよく、或いは広幅であれば１つでもよい。なお、揺動支持部材として、本実施形態では、揺動支持部７ａに加えて、後側壁３ｂに取付けられる被取付部７ｃを有するヒンジ７を用いているが、通常の蝶番を用いることも可能である。
【００２７】
引張りコイルばね（押圧力付与手段）１１は、その一端１１ａを、容器３側に設けたばね取付片１３に係止し、他端１１ｂを餌押さえ部材９の上端部９ａの近くに設けた係止部９ｃに係止することで、取付けられている（図１、図３参照）。上記係止部９ｃは折り曲げ部９ｄよりも後側に位置するとともに、餌押さえ部材９の外側に突出させて形成している。ばね取付片１３は、後側壁３ｂに形成した貫通孔に後側から挿入し、後側壁３ｂの前側に突出するように取付けられている。また、他端１１ｂの取付け位置（係止部９ｃの配設位置）については、第２姿勢Ｂと関連するが、このことについては、後述する。
【００２８】
なお、引張りコイルばね１１の設置箇所は、右側壁３ｄ側である必要はなく、反対の左側壁３ｃであってもよい。また、ばね取付片１３の取付けは、後側壁３ｂに限らず、右側壁３ｄや左側壁３ｃであってもよい。
【００２９】
この給餌器１において、餌押さえ部材９を把持し、引張りコイルばね１１の押圧力（押圧付勢力）に抗して餌押さえ部材９を後側壁３ｂから離隔するように揺動させると、後側壁３ｂとの間に線状餌をセットすることが許容される。このとき、上記第１姿勢Ａから第２姿勢Ｂへと変化させるとともに第２姿勢Ｂに保持させることで、餌のセットが簡単になる。その理由は、以下の通りである。すなわち、図５に示すように餌押さえ部材９の下端部９ｂを後側壁３ｂから離隔させていき、コイルばね１１の両端１１ａ、１１ｂを結ぶ線分が揺動支持部７ａの軸心である揺動軸７ｂ（または横桟１０ｄの軸心）の延長線７ｄ（図３参照）を挟んで前面側から後面側へ移動するように構成しておく。この構成を確保する上で、他端１１ｂの取付け位置（係止部９ｃの配設位置）は、上述したように折り曲げ部９ｄよりも後側に配している。
【００３０】
そして、後面側へ移動した状態において、餌押さえ部材９の横桟１０ｄをヒンジ７に当接させることで第２姿勢Ｂにする。これにより、コイルばね１１により餌押さえ部材９が後側へ引っ張られるようになり、第２姿勢Ｂに保持される。よって、餌押さえ部材９から手を離した状態での線状餌のセットが可能になり、線状餌のセットを容易に行うことができる。
【００３１】
線状餌のセットが終了すると、第２姿勢Ｂから元の状態に餌押さえ部材９を戻すことにより、つまり餌押さえ部材９を後側壁３ｂへ接近させることにより、餌押さえ部材９と後側壁３ｂとの間で線状餌を挟持することができる。挟持された線状餌は、餌押さえ部材９に設けられた餌食べ用の開口部１５（１６ａ、１６ｂ）から食べることができる。
【００３２】
このような構成の給餌器１において、餌押さえ部材９により線状餌が挟持された状態で開口部１５（１６ａ、１６ｂ）から線状餌を食べるとき、コイルばね１１による押圧力を受けて餌押さえ部材９が線状餌を押さえているので、相互に絡み合った複数の線状餌の一つが引き抜かれても他の線状餌が餌押さえ部材９により押さえられ、開口部１５（１６ａ、１６ｂ）から外側へ抜け落ちることが抑制される。加えて、線状餌の量が減少してくると、餌押さえ部材９が後側壁３ｂへ接近するので、最終的に後側壁３ｂの近傍に位置する線状餌をも支障なく食べ得るようにすることができ、餌の食べ残しを防止し無駄を抑制することができる。
【００３３】
また、本実施形態において、前側壁３ａの切欠き部５は、容器３の下端部を残して形成されているようにしているので、切欠き部５の下側に容器３の下端部が存在するため、容器３から線状餌が落下し難く、そのため線状餌の容器３へのセットを容易に行うことが可能になる。
【００３４】
更に、本実施形態において、線状餌の量の減少に伴って餌押さえ部材９の下端部９ｂが後側壁３ｂに近づくため、線状餌が落下して底部９ｅに溜まっても、餌押さえ部材９の下端部９ｂおよびその近傍部分が線状餌を後側壁３ｂに寄せることになる。そのため、餌押さえ部材９から線状餌までの距離を接近させることができ、これにより線状餌を最後まで残すことがなく食べることが可能になり、餌の食べ残しなどの無駄を極めて低減させ得る。
【００３５】
なお、上述した実施形態においては、押圧力付与手段にコイルばねを用いているが、本考案はぜんまいばねや、捻りばねなどの弾性部材、或いはゴムなどの弾性部材を用いてもよく、或いは、餌押さえ部材９の下端部９ｂ側に錘を付けた構成としてもよい。但し、弾性部材を用いる場合には、餌押さえ部材９の下端部９ｂが後側壁３ｂに近付いても押圧力を安定して付与することを可能にできる。つまり、錘の場合には、餌押さえ部材９の下端部９ｂが後側壁３ｂに近付くと押圧力が弱くなるから、これを防止する上で弾性部材を用いることが好ましいからである。
【００３６】
また、上述した実施形態においては、餌押さえ部材９として、格子状の餌食べ用の開口部１５を有する構成の網部材を用いているが、本考案はこれに限らず、例えば図６に示す縦長の菱形や三角形の餌食べ用の開口部１５Ａを有する網部材からなる餌押さえ部材９Ａであってもよく、或いは図７に示すように縦方向に横長の餌食べ用の開口部１５Ｂを有する網部材からなる餌押さえ部材９Ｂ、或いは図８に示すように横方向に縦長の餌食べ用の開口部１５Ｃを有する網部材からなる餌押さえ部材９Ｃであってもよい。或いは、図９に示すように、餌食べ用の開口部１５Ｄを多数形成した板状部材からなる餌押さえ部材９Ｄであってもよい。或いは、図１０、図１１、図１２に示すように餌食べ用の開口部１５Ｅを１つ形成した板状部材９Ｅであってもよく、開口部１５Ｅの形状は、例えば横長でも、縦長でも、丸形でもよい。但し、上述した実施形態の餌押さえ部材９や、図６〜図９に示す餌押さえ部材９Ａ、９Ｂ、９Ｃ、９Ｄを用いる場合には、セットされた線状餌を複数の開口部から食べることができるので、線状餌を分散させて減少させることが可能になる。特に、上述した実施形態の餌押さえ部材９や、図６〜図８に示す餌押さえ部材９Ａ、９Ｂ、９Ｃを用いる場合には、網部材により構成されているので、開口部となる網目が大きいので、線状餌を容易に食べるようにすることが可能になる。
【符号の説明】
【００３７】
１    給餌器
３ａ    前側壁
５    切欠き部
３    餌収納用容器
３ｂ    後側壁
７    ヒンジ（揺動支持部材）
７ａ    揺動支持部
７ｂ    揺動軸
９、９Ａ、９Ｂ、９Ｃ、９Ｄ、９Ｅ    餌押さえ部材
９ａ    上端部
９ｂ    下端部
１１    引張りコイルばね（押圧力付与手段）
１１ａ    一端
１１ｂ    他端
１５、１６ａ、１６ｂ、１５Ａ、１５Ｂ、１５Ｃ、１５Ｄ、１５Ｅ    開口部
２０    取付手段
２１    固定部
２５    被着部
【図１】
0003168100.tif 000003
【図２】
0003168100.tif 000004
【図３】
0003168100.tif 000005
【図４】
0003168100.tif 000006
【図５】
0003168100.tif 000007
【図６】
0003168100.tif 000008
【図７】
0003168100.tif 000009
【図８】
0003168100.tif 000010
【図９】
0003168100.tif 000011
【図１０】
0003168100.tif 000012
【図１１】
0003168100.tif 000013
【図１２】
0003168100.tif 000014